(57)【要約】【課題】ゴミの減量化が可能で、かつ、ノズル内に残存する内容物を無くすか若しくは低減できる押出しガンを提案する。【解決手段】押出しガンを、内部空間に袋体を入れ込むカートリッジと、カートリッジを袋体とともに載置、保持するホルダーと、枢軸を支点にして牽曳可能なトリガーを有しホルダーの後端部につながるフレームと、カートリッジの一方の開口を通して袋体の後端部に当接する押圧ディスクを有し、フレームに進退移動可能に支持されるロット棒と、フレームに設けられ、トリガーの牽曳動作に連動させてロット棒を袋体の後端部に向けて送り出すチャッキングプレートと、カートリッジの他方の開口に面して設けられ、袋体内の内容物を注出するノズルと、を備えたもので構成し、押圧ディスクに、ノズルの注出空間の全域若しくは少なくとも一部分に入り込んで注出空間内に存在する内容物を押し出す凸部を設ける。【選択図】図６
2022001352.tif 000002
【特許請求の範囲】
【請求項１】
シーリング剤やコーキング剤、接着剤等の内容物を充填する袋体を装填、保持して該袋体をその後端部から先端部に向けて押圧、減容させることにより該袋体の先端部に設けられたノズルを通して内容物を注出する押出しガンであって、
両端部に開口を有しその内部空間に該袋体を入れ込むカートリッジと、該カートリッジを該袋体とともに載置、保持するホルダーと、枢軸を支点にして牽曳可能なトリガーを有し該ホルダーの後端部につながるフレームと、該カートリッジの一方の開口を通して該袋体の後端部に当接する押圧ディスクを有し該フレームに進退移動可能に支持されるロット棒と、該フレームに設けられ、該トリガーの牽曳動作に連動させて該ロット棒を押圧ディスクとともに袋体の後端部に向けて送り出すチャッキングプレートと、該カートリッジの他方の開口に面して設けられ、該袋体の一部分をその注出空間に位置させて該袋体内の内容物を注出するノズルと、を備え、
該押圧ディスクに、該ノズルの注出空間の全域若しくは少なくとも一部分に入り込んで該注出空間内に存在する内容物を押し出す凸部を設けたことを特徴とする押出しガン。
【請求項２】
前記ノズルは、前記注出空間が設けられた、先端先細り形状をなすノズル本体と、該ノズル本体の後端部に形成され、前記ホルダーの側壁および前記カートリッジの他方の開口が位置する開口端面との相互間で挟持されて該ノズルの、該ホルダーに対する位置決めを行うフランジ部とからなることを特徴とする請求項１に記載の押出しガン。
【請求項３】
前記押圧ディスクは、前記袋体の後端部に当接する前面壁部の外周縁に、該外周縁の全周にわたって伸延する環状リブを有することを特徴とする請求項１または２に記載の押出しガン。
【発明の詳細な説明】
【技術分野】
【０００１】
本発明は、袋体に比較的大量に充填されたシーリング剤やコーキング剤、接着剤、食品、薬剤、化粧料等の内容物（液状、粘性のあるもの）を効率よく注出するのに好適な押出しガンに関するものである。
【背景技術】
【０００２】
浴槽や洗面所、キッチン周り、あるいは土木建築等の施工現場では、目地止め、防水加工のためにシーリング剤やコーキング剤等の充填剤が広く使用されている。
【０００３】
かかる充填剤を入れる容器としては、内容物の注出用ノズルを備えたカートリッジ式の容器やチューブあるいは缶等が知られているが、とくに業務用として使用されるカートリッジ式の容器は、充填剤の効率的な注出が行えるように押出しガンが使用されている。
【０００４】
押出しガンは、先端部に押圧ディスクを備えたロット棒を、トリガーによる牽曳動作により適宜繰り出し、カートリッジ式容器の後端部を、該押圧ディスクで押圧することにより注出ノズルから内容物を注出する構造からなるものである。
【０００５】
ところで、従来使用されているカートリッジ式の容器は、容器本体が、硬質の合成樹脂で構成されているのが普通であり、充填剤を大量に使用する土木建築分野においては、使用済みの容器がゴミとして大量に発生するのが避けられず、その処分が容易でないところに問題が残されている。
【０００６】
この点に関する先行技術として、例えば特許文献１には、内容物を充填する容器を、軟質容器で構成し、該容器を一対のローラで挟持、スライドさせることにより内容物を注出する高粘度流体の吐出装置が知られており、かかる装置によれば、ゴミの削減を図ることができるとされていた。
【０００７】
しかしながら、この種の装置に使用されるカートリッジ式の容器は、注出ノズル内に内容物が残存したままゴミとして処分されることから無駄が多く、資源の有効活用を図る観点からは有用であるとはいえないものであった。
【先行技術文献】
【特許文献】
【０００８】
【特許文献１】特開２０１０−２２９９４号公報
【発明の概要】
【発明が解決しようとする課題】
【０００９】
本発明の課題は、ゴミの減量化が可能であり、かつ、注出ノズル内に残存する内容物の残存量を極力低減できる押出しガンを提案するところにある。
【課題を解決するための手段】
【００１０】
本発明は、シーリング剤やコーキング剤、接着剤等の内容物を充填する袋体を装填、保持して該袋体をその後端部から先端部に向けて押圧、減容させることにより該袋体の先端部に設けられたノズルを通して内容物を注出する押出しガンであって、
両端部に開口を有しその内部空間に該袋体を入れ込むカートリッジと、該カートリッジを該袋体とともに載置、保持するホルダーと、枢軸を支点にして牽曳可能なトリガーを有し該ホルダーの後端部につながるフレームと、該カートリッジの一方の開口を通して該袋体の後端部に当接する押圧ディスクを有し該フレームに進退移動可能に支持されるロット棒と、該フレームに設けられ、該トリガーの牽曳動作に連動させて該ロット棒を押圧ディスクとともに袋体の後端部に向けて送り出すチャッキングプレートと、該カートリッジの他方の開口に面して設けられ、該袋体の一部分をその注出空間に位置させて該袋体内の内容物を注出するノズルと、を備え、
該押圧ディスクに、該ノズルの注出空間の全域若しくは少なくとも一部分に入り込んで該注出空間内に存在する内容物を押し出す凸部を設けたことを特徴とする押出しガンである。
【００１１】
上記の構成からなる押出しガンにおいて、前記ノズルは、前記注出空間が設けられた、先端先細り形状をなすノズル本体と、該ノズル本体の後端部に形成され、前記ホルダーの側壁および前記カートリッジの他方の開口が位置する開口端面との相互間で挟持されて該ノズルの、該ホルダーに対する位置決めを行うフランジ部とからなるものとするのが望ましい。また、前記押圧ディスクは、前記袋体の後端部に当接する前面壁部の外周縁に、該外周縁の全周にわたって伸延する環状リブを有するものとするのが望ましい。
【発明の効果】
【００１２】
本発明によれば、カートリッジ、ノズルの再利用が可能であり、減容化された袋体のみをゴミとして処理することが可能であり、ゴミの発生量を削減することができる。
【００１３】
また、本発明によれば、押圧ディスクに、ノズルの注出空間の全域若しくは少なくとも一部分が入り込む凸部を設けたため、ノズル内に残存する内容物を排出することが可能で、資源の有効利用を図ることができる。
【図面の簡単な説明】
【００１４】
【図１】本発明にしたがう押出しガンの実施の形態を模式的に示した図であり、（ａ）は、正面図、（ｂ）は、右側面図、（ｃ）は、平面図である。
【図２】図１に示した押出しガンにつき、そのホルダーに、袋体を入れ込んだカートリッジをノズルとともに組付ける状況を示した図である。
【図３】チャッキングプレートの外観斜視図を示した図である。
【図４】チャッキングプレートの断面を示した図である。
【図５】本発明にしたがう押出しガンにおいてトリガーを牽曳した状態を示した図である。
【図６】本発明にしたがう押出しガンの要部の拡大断面図である。
【図７】本発明にしたがう押出しガンの他の例を示した要部の拡大断面図である。
【発明を実施するための形態】
【００１５】
以下、図面を参照して、本発明をより具体的に説明する。
図１（ａ）〜（ｃ）は、本発明にしたがう押出しガンの実施の形態を模式的に示した外観斜視図であり、（ａ）は、正面図、（ｂ）は、右側面図、（ｃ）は、平面図である。
【００１６】
また、図２は、図１に示した押出しガンにつき、そのホルダーに、袋体を入れ込んだカートリッジをノズルとともに組付ける状況を示した図である。なお、本発明にしたがう押出しガンのカートリッジ、ノズル、フレーム、押出しディスクは、合成樹脂で構成することができ、ホルダー、ロット棒、チャッキングプレートは、金属製部材で構成することができるが、それらの材質については、とくに限定されない。
【００１７】
図１、２における符号１は、両端部に開口を有するカートリッジ（筒体）、２は、シーリング剤等の内容物が充填され、カートリッジ１の内部空間に装着された袋体、３は、カートリッジ１を袋体２とともに載置、保持するホルダーである。
【００１８】
袋体２としては、二枚重ねに折り返してその重ね合わせ部分の全域をヒートシール等により接合することにより内側に内容物Ｍの充填空間を区画形成する少なくとも一層のフィルムで構成された減容可能（押し潰し可能）なものが用いられる。
【００１９】
フィルムは、Ａｌ箔もしくはＡｌ箔、Ａｌ、Ａｌ２Ｏ３またはＳｉＯ２の蒸着層を含むラミネートフィルムを用いることが可能であり、これにより、押出しガンの押圧ディスクによる押込み時に袋体を確実に縮減させることができる。かかるフィルムによれば、袋体の壁部のおける空気（酸素）、水分の透過が抑制され、内容物の固化、内容物の品質の劣化が回避される。
【００２０】
ホルダー３は、後述するノズルのフランジ部につながる開口を有しその上部が切り欠かれた先端環状体３ａと、該先端環状体３ａの後方に位置する後端環状体３ｂと、先端環状体３ａおよび後端環状体３ｂを両サイドにおいて互いに連結する一対の側板３ｃから構成することが可能で、先端環状体３ａ、後端環状体３ｂ、側板３ｃにて区画された内側領域でカートリッジ１を載置、保持することができるようになっている。なお、ホルダー３は、カートリッジ１を袋体２とともに載置、保持することができるものであればどのような構造のものでも適用することが可能であり、図示の構造に限定されない。ホルダー３の胴体には、長手方向に沿う長孔を設けておいてもよく、長孔を通して袋体２の減容度合いを目視することにより、内容物の残量を把握することができる。
【００２１】
また、図における符号４は、ホルダー３の後端環状体３ｂの背面部につながるフレームである。フレーム４には、スプリングを介して弾性支持され（図示せず）、枢軸Ｐ１を支点にして牽曳可能なトリガー４ａと、該トリガー４ａを牽曳する際に手指を宛がう把持部４ｂが設けられている。
【００２２】
また、図における符号５は、先端にねじ部を有し、フレーム４に進退移動可能に支持されるロット棒、６は、ロット棒５のねじ部においてねじ止めされ、カートリッジ１の一方の開口１ａを通して袋体２の後端部に当接する押圧ディスク、７は、ロット棒５を挿通させる開口７ａを有し、フレーム４にスプリングＳを介して弾性支持されるチャッキングプレートである。
【００２３】
押圧ディスク６は、その前面壁部の外周縁で全周にわたって伸延する環状リブ６ａを有しており、この環状リブ６ａによって、押圧ディスク６で袋体２の後端部を押圧するとき、袋体２が、カートリッジ１の内面と押圧ディスク６の外周面との間に噛み込まれるのを防止して袋体２のスムーズな押圧を可能としている。
【００２４】
チャッキングプレート７は、トリガー４ａの牽曳動作に連動してロット棒５を押圧ディスク６とともに袋体２の後端部に向けて送り出す機能を有している。
【００２５】
図３は、チャッキングプレート７の外観斜視図を示したものである。チャッキングプレート７は、トリガー４ａを牽曳する前の状態（初期状態）では、スプリングＳの復元力により直立姿勢に保持されてロット棒５を、チャッキングプレート７の開口７ａを素通りさせているが、トリガー４ａの牽曳時に押圧ピンＰ２により押圧され、傾動姿勢で前方に向けてスライドすると同時に開口７ａのエッジがロット棒５に引っ掛かる（チャッキング）仕組みからなるものを適用することができる。チャッキングプレート７としては、ロット棒５のチャッキングをより強固なものとするため、図４に示すように、開口７ａの前方側のエッジの下端および後方側のエッジの上端に爪７ｂを設けてもよい。
【００２６】
また、図における符号８は、カートリッジ１の他方の開口１ｂに面して設けられ、袋体２の一部分（先端部）２ａをその注出空間に位置させて袋体２内の内容物を注出口ｎから注出するノズルである。
【００２７】
ノズル８は、袋体２の一部分２ａを位置させる注出空間が形成された、先端先細り形状をなすノズル本体８ａと、ノズル本体８ａの後端部に形成され、ホルダー３の先端環状体３ａの側壁およびカートリッジ１の他方の開口１ｂの開口端面との相互間で挟持されてノズル８の、ホルダー３に対する位置決めを行うフランジ部８ｂから構成されている。
【００２８】
また、符号９は、押圧ディスク６の前面壁部に設けられた凸部である。凸部９は、ノズル本体８ａの注出空間の全域若しくは少なくとも一部分に入り込むサイズに設定されており、該注出空間内に存在する内容物の押し出しに寄与する。
【００２９】
また、符号１０は、ロット棒５の後方への移動を防止する、金属製部材からなるストッパーである。ストッパー１０は、ロット棒５を挿通させる貫通孔を有し、フレーム４の後端部に揺動自在に片持ち支持されるレバー１０ａと、レバー１０ａをフレーム４との間で弾性支持するスプリング１０ｂからなっている。
【００３０】
ストッパー１０は、トリガー４ａの牽曳に際してはロット棒５の送り出しに何らの影響を与えることはないが、ロット棒５を後方に向けて押し戻すような意に反する力が作用した場合に、ロット棒５を挿通させる貫通孔のエッジがロット棒５に引っ掛かり、その相互間の摩擦抵抗によりロット棒５の後方への移動を防止する。ストッパー１０を解除するには、スプリング１０ｂの復元力に抗してレバー１０ａを前方に向けて揺動させ、その揺動姿勢を維持すればよく、その状態でロット棒５を後方に向けて引っ張ることにより、押圧ディスク６をホルダー３の後端環状体３ｂ側へと戻すことができる。
【００３１】
内部空間に袋体２を入れ込み、該袋体２の一部分２ａにノズル８を取り付けたカートリッジ１をホルダー３に載置、保持した、図１（ａ）〜（ｃ）に示すような状態でトリガー４ａに把持力を加えて図５に示すように牽曳すると、ロット棒５は牽曳の度にチャッキングプレート７でチャッキングされ、該チャッキングプレート７とともに前方に向けて移動することとなり、該押圧ディスク６にて袋体２の後端部が押圧され、袋体２内の内容物がノズル８の注出口ｎから注出されることになる。
【００３２】
トリガー４ａに加えた把持力を解除すると該トリガー４ａは初期位置へ復帰し、チャッキングプレート７についても、スプリングＳの復元力によって初期姿勢、すなわち、起立姿勢へと復帰することとなるが、ロット棒５は、ストッパー１０により、押圧ディスク６とともに移動した位置に留まることになる。
【００３３】
トリガー４ａの一回の牽曳によるロット棒５の移動は、１０〜１５ｍｍ程度に設定されるのが普通であるが、トリガー４ａを繰り返し牽曳することにより内容物の連続的な注出が可能となる。
【００３４】
図６は、袋体２の内容物を使い切った状態、すなわち、ロット棒５を押圧ディスク６とともにホルダー３の最も前方に移動させた状態を要部の断面について示した図である。本発明にしたがう押出しガンは、押圧ディスク６の前面壁部にノズル８の注出空間に入り込む凸部９が設けられているため、注出空間内に残存する内容物を排出することができる。とくに、図示のものは、ノズル８の注出空間内に存在する内容物の量を減らすことができるものである。ノズル８の注出空間内の内容物を全て排出するには、図７に示すように、凸部９に注出空間を全て埋め尽くす形状を付与すればよい。図７に示すような形状を有する凸部９において、袋体２の後端部を押圧することにより袋体２の後端部に穴が開いてしまうことが懸念される場合には、凸部９を、容易に変形可能な軟質部材で構成するか、あるいは、袋体２の後端部に穴の開き難い処理を施すか、穴の開き難い素材を用いるのが好ましい。
【００３５】
内容物を使い切ったのちにおいては、減容された袋体２をカートリッジ１から取り出し、内容物が充填された新規な袋体２をカートリッジ１に再び入れ込んでホルダー３に装着すればよく、縮減した袋体２のみがゴミとなるため、ゴミの減量化も可能となる。
【産業上の利用可能性】
【００３６】
本発明によれば、ゴミの減量化が可能で、かつ、ノズル内に残存する内容物を低減乃至は皆無にし得る押出しガンが提供できる。
【符号の説明】
【００３７】
１      カートリッジ
２      袋体
２ａ    一部分
３      ホルダー
３ａ    先端環状体
３ｂ    後端環状体
４      フレーム
４ａ    トリガー
４ｂ    把持部
５      ロット棒
６      押圧ディスク
６ａ    環状リブ
７      チャッキングプレート
８      ノズル
８ａ    ノズル本体
８ｂ    フランジ部
９      凸部
１０    ストッパー
１０ａ  レバー
１０ｂ  スプリング
Ｐ１    枢軸
Ｐ２    押圧ピン
Ｓ      スプリング
Ｍ      内容物
【図１】
2022001352.tif 000003
【図２】
2022001352.tif 000004
【図３】
2022001352.tif 000005
【図４】
2022001352.tif 000006
【図５】
2022001352.tif 000007
【図６】
2022001352.tif 000008
【図７】
2022001352.tif 000009